【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
第１、第２の通信装置を含む複数の通信装置によって構成されるネットワークに、新たに第３の通信装置が参加する場合における通信方法であって、
前記第１の通信装置では、
所定のユーザ操作が行われた際に、ネットワークに参加中であった場合、前記第１の通信装置の役割を、通信パラメータを提供する提供装置に設定する設定工程と、
前記提供装置であることを示すメッセージを送信する送信工程と、が実行され、
前記第２の通信装置では、
前記メッセージを受信する受信工程と、
前記受信工程における受信の後は、前記第３の通信装置からの提供装置の検索信号に対して、前記第１の通信装置に関する情報を含んだ応答信号を送信する応答工程と
が実行されることを特徴とする通信方法。
【請求項２】
前記第２の通信装置では、更に、
前記受信工程における受信に応じて、前記第１の通信装置に関する情報を含んだ報知信号の送信が開始されることを特徴とする請求項１に記載の通信方法。
【請求項３】
前記第２の通信装置では、更に、
前記受信工程における受信に応じて、前記第２の通信装置による報知信号の単位時間当たりの送信回数が前記第１の通信装置よりも少なくなるように、前記報知信号の送信を制御するためのパラメータを変更する第１の変更工程が実行されることを特徴とする請求項１又は請求項２に記載の通信方法。
【請求項４】
前記第２の通信装置では、更に、
前記第１の通信装置からの通信パラメータの提供処理の完了通知、もしくは通信パラメータの提供処理のエラー通知の受信に応じて、前記第１の変更工程において変更したパラメータが変更前の値に設定されることを特徴とする請求項３に記載の通信方法。
【請求項５】
前記第１の通信装置では、更に、
前記設定工程において前記通信パラメータを提供する提供装置に設定されたことに応じて、前記第１の通信装置による報知信号の単位時間当たりの送信回数が前記第２の通信装置よりも多くなるように、前記報知信号の送信を制御するためのパラメータを変更する第２の変更工程が実行されることを特徴とする請求項１乃至請求項４のいずれか１項に記載の通信方法。
【請求項６】
前記第１の通信装置では、更に、
前記第３の通信装置に対して、前記第１の通信装置が参加中のネットワークの通信パラメータを提供する提供工程と、
前記提供工程における通信パラメータの提供処理の完了に応じて、前記第３の通信装置との間で暗号鍵の交換処理を行う鍵交換工程と
が実行されることを特徴とする請求項１乃至請求項５のいずれか１項に記載の通信方法。
【請求項７】
前記第１の通信装置では、更に、
保有する暗号鍵の数と暗号鍵の交換シーケンスの回数との少なくともいずれか一方が異なる複数の暗号鍵の交換処理の方式の中から、使用する方式を選択する選択工程が実行され、
前記鍵交換工程では、前記選択工程において選択された方式の交換処理が行われることを特徴とする請求項６に記載の通信方法。
【請求項８】
前記選択工程においては、前記提供工程において提供された通信パラメータを一時的に使用する処理モードであるか否かに応じて、使用する方式が選択されることを特徴とする請求項７に記載の通信方法。
【請求項９】
前記選択工程においては、前記第１の通信装置が参加するネットワーク上の通信装置の台数に応じて、使用する暗号鍵の交換処理の方式が選択されることを特徴とする請求項７に記載の通信方法。
【請求項１０】
前記第１の通信装置では、前記第３の通信装置への前記通信パラメータの提供処理が完了すると、完了通知を前記ネットワークに送信する完了工程が更に実行されることを特徴とする請求項１乃至９のいずれか１項に記載の通信方法。
【請求項１１】
無線通信のための通信パラメータを提供する提供装置として動作する手段と、
ユーザにより通信パラメータ設定処理の開始が指示された際に、ネットワークに参加中であった場合、前記提供装置であることを示す情報を参加中のネットワークに送信する送信手段と、
を有することを特徴とする通信装置。
【請求項１２】
ユーザにより通信パラメータ設定処理の開始が指示された際に、ネットワークに参加中でなかった場合、無線通信のための通信パラメータを提供する役割を、他の装置と決定する役割決定手段を更に有することを特徴とする請求項１１に記載の通信装置。
【請求項１３】
前記提供装置としての動作の開始に応じて、前記通信装置による報知信号の単位時間当たりの送信回数が増加するように、前記報知信号の送信を制御するためのパラメータを変更する変更手段を更に有することを特徴とする請求項１１に記載の通信装置。
【請求項１４】
通信パラメータの提供を要求する通信装置に対して、無線通信のための通信パラメータを提供する提供手段と、
前記提供手段による前記通信パラメータの提供処理の完了に応じて、暗号鍵の交換処理を行う鍵交換手段と、
を更に有することを特徴とする請求項１１又は請求項１２に記載の通信装置。
【請求項１５】
保有する暗号鍵の数と暗号鍵の交換シーケンスの回数との少なくともいずれか一方が異なる複数の暗号鍵の交換処理の方式の中から、使用する方式を選択する選択手段を更に有し、
前記鍵交換手段は、前記選択手段により選択された方式の交換処理が行われることを特徴とする請求項１４に記載の通信装置。
【請求項１６】
前記選択手段は、前記提供手段により提供された通信パラメータを一時的に使用するモードであるか否かに応じて、使用する方式を選択することを特徴とする請求項１５に記載の通信装置。
【請求項１７】
前記選択手段は、前記通信装置が参加するネットワーク上の通信装置の台数に応じて、使用する暗号鍵の交換処理の方式を選択することを特徴とする請求項１５に記載の通信装置。
【請求項１８】
通信パラメータの提供を要求する通信装置に対して、前記通信パラメータの提供処理が完了すると、完了通知を前記ネットワークに送信する完了手段を更に有することを特徴とする請求項１１乃至１７のいずれか１項に記載の通信装置。
【請求項１９】
ネットワークに参加中であるか否かを判定する判定手段と、
ユーザにより通信パラメータの設定処理の開始が指示された際に、ネットワークに参加中であった場合、無線通信のための通信パラメータを提供する提供装置として動作することを決定し、ネットワークに参加中でなかった場合、無線通信ための通信パラメータを提供する役割を、他の装置と決定する決定手段と、
前記決定手段により決定された役割に応じて、前記無線通信のための通信パラメータの提供装置または提供装置から通信パラメータを受信する装置として通信パラメータの提供処理を実行する実行手段と、
を有することを特徴とする通信装置。
【請求項２０】
ネットワークに送信された信号を受信する受信手段と、
無線通信を行うための通信パラメータを提供する提供装置が送信した、通信パラメータの提供装置であることを示す情報を含む信号を受信した後に前記ネットワークの検索信号を受信した場合に、前記提供装置の識別情報を含む応答信号を送信する送信手段と、
を更に有することを特徴とする請求項１９に記載の通信装置。
【請求項２１】
前記通信パラメータの提供装置であることを示す情報を含む信号の受信に応じて、前記提供装置の識別情報を含んだ報知信号の送信を開始することを特徴とする請求項２０に記載の通信装置。
【請求項２２】
前記通信パラメータの提供装置であることを示す情報を含む信号の受信に応じて、報知信号の単位時間当たりの送信回数が減少するように、前記報知信号の送信を制御するためのパラメータを変更する変更手段を更に有することを特徴とする請求項２０又は請求項２１に記載の通信装置。
【請求項２３】
前記提供装置による前記通信パラメータの提供処理の完了通知、もしくは通信パラメータの提供処理のエラー通知の受信に応じて、前記変更手段により変更したパラメータを変更前の値に設定することを特徴とする請求項２２に記載の通信装置。
【請求項２４】
通信装置であって、
所定のユーザ操作が行われた際に、ネットワークに参加中であった場合、通信パラメータを提供する提供装置であることを示すメッセージを送信する送信手段と、
他の通信装置により送信された、提供装置であることを示すメッセージを受信する受信手段と、
前記メッセージを受信した後に、検索信号を受信した場合に、前記メッセージを送信した前記提供装置に関する情報を含む応答信号を送信する応答手段と、
を有することを特徴とする通信装置。
【請求項２５】
前記所定のユーザ操作が行われた際に、前記ネットワークに参加中でなかった場合、通信パラメータの提供処理における役割を他の装置と決定するための処理を行う役割決定手段を更に有することを特徴とする請求項２４に記載の通信装置。
【請求項２６】
通信パラメータの提供を要求する通信装置に対して、無線通信のための通信パラメータを提供する提供手段と、
前記提供手段による前記通信パラメータの提供処理の完了に応じて、暗号鍵の交換処理を行う鍵交換手段と、
を更に有することを特徴とする請求項２４または請求項２５に記載の通信装置。
【請求項２７】
通信パラメータの提供を要求する通信装置に対して、前記通信パラメータの提供処理が完了すると、完了通知を前記ネットワークに送信する完了手段と、
を有することを特徴とする請求項２４乃至請求項２６のいずれか１項に記載の通信装置。
【請求項２８】
ユーザにより通信パラメータ設定処理の開始が指示された際に、ネットワークに参加中であった場合、無線通信のための通信パラメータを提供する提供装置であることを示す情報を参加中のネットワークに送信するように通信装置を制御することを特徴とする通信装置の制御方法。
【請求項２９】
コンピュータを、請求項１１乃至請求項２７のいずれか１項に記載の通信装置の各手段として動作させるためのコンピュータプログラム。
【手続補正２】
【補正対象書類名】明細書
【補正対象項目名】００１２
【補正方法】変更
【補正の内容】
【００１２】
上記の目的を達成するために本発明に係る通信方法は以下のような構成を備える。即ち、
第１、第２の通信装置を含む複数の通信装置によって構成されるネットワークに、新たに第３の通信装置が参加する場合における通信方法であって、
前記第１の通信装置では、
所定のユーザ操作が行われた際に、ネットワークに参加中であった場合、前記第１の通信装置の役割を、通信パラメータを提供する提供装置に設定する設定工程と、
前記提供装置であることを示すメッセージを送信する送信工程と、が実行され、
前記第２の通信装置では、
前記メッセージを受信する受信工程と、
前記受信工程における受信の後は、前記第３の通信装置からの提供装置の検索信号に対して、前記第１の通信装置に関する情報を含んだ応答信号を送信する応答工程とが実行されることを特徴とする。